(57)【要約】【課題】  この発明は、第二の紙葉類処理機に要する時間を、処理する紙葉類の数量だけではなく第一の紙葉類処理機における処理状況を表す数値に基づいて予測することを可能とし、処理時間の予測精度を向上できる。【解決手段】  この発明は、第一の紙葉類処理機１１にて排除された紙葉類を第二の紙葉類処理機２１にて再処理することにより当該日の業務を終了する、という運用条件において、第二の紙葉類処理機２１に要する時間を処理する紙葉類の数量だけではなく第一の紙葉類処理機１１における処理状況を表す数値に基づいて予測することにより、業務終了予定時刻に業務を終了できるように第一の紙葉類処理機１１の動作を終了させるものである。【選択図】      図４
2005267458.tif 000002
【特許請求の範囲】
【請求項１】
紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムにおいて、
第一の紙葉類処理機にて排除された紙葉類の数量および第一の紙葉類処理機における処理状況を表す数値に基づき、第二の紙葉類処理機が処理に要する時間を予測する予測手段と、
この予測手段の予測に基づいて、予め登録された予定時刻に業務を終了するように第一の紙葉類処理機を制御する制御手段とを有することを特徴とする紙葉類処理システム。
【請求項２】
紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムにおいて、
第一の紙葉類処理機にて排除された紙葉類の数量および第一の紙葉類処理機における処理状況を表す数値に基づき、第二の紙葉類処理機が処理に要する時間を予測し、
この予測に基づいて、予め登録された予定時刻に業務を終了するように第一の紙葉類処理機を制御する
ことを特徴とする紙葉類処理システムの処理方法。
【請求項３】
紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムにおいて、
第一の紙葉類処理機にて排除された紙葉類の数量および第一の紙葉類処理機における処理状況を表す数値に基づき、第二の紙葉類処理機が処理に要する時間を予測する予測手段と、
少なくとも第一の紙葉類処理機、あるいは第二の紙葉類処理機、あるいは制御機のいずかに設けられ、上記予測手段の予測に基づいて、予め登録された予定時刻に業務を終了するガイダンスを表示する表示手段を有することを特徴とする紙葉類処理システム。
【請求項４】
紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムにおいて、
第一の紙葉類処理機にて排除された紙葉類の数量および第一の紙葉類処理機における処理状況を表す数値に基づき、第二の紙葉類処理機が処理に要する時間を予測し、
少なくとも第一の紙葉類処理機、あるいは第二の紙葉類処理機、あるいは制御機のいずかに設けられる表示手段により、上記予測に基づいて、予め登録された予定時刻に業務を終了するガイダンスを表示することを特徴とする紙葉類処理システムの処理方法。
【請求項５】
紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムにおいて、
上記制御機が、
第一の紙葉類処理機にて排除された紙葉類の数量および第一の紙葉類処理機における処理状況を表す数値等の情報を収集し、解析することにより、第二の紙葉類処理機が処理に要する時間を予測する予測手段と、
この予測手段の予測に基づいて、予め登録された予定時刻に業務を終了するように第一の紙葉類処理機を制御する制御手段とを有する
ことを特徴とする紙葉類処理システム。
【請求項６】
紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムにおいて、
上記制御機に設けられ、第一の紙葉類処理機にて排除された紙葉類の数量および第一の紙葉類処理機における処理状況を表す数値等の情報を収集し、解析することにより、第二の紙葉類処理機が処理に要する時間を予測する予測手段と、
少なくとも第一の紙葉類処理機、あるいは第二の紙葉類処理機、あるいは制御機のいずれかに設けられ、上記予測手段の予測に基づいて、予め登録された予定時刻に業務を終了するガイダンスを表示する表示手段を有することを特徴とする紙葉類処理システム。
【請求項７】
上記第一の紙葉類処理機、第二の紙葉類処理機が、紙葉類を取り出す紙葉類取出部と、紙葉類を搬送・区分する紙葉類搬送・区分部と、紙葉類の表面または裏面の情報を読み取り真偽・正損等を判定する紙葉類情報読取・判定部と、前記判定結果に基づき紙葉類を集積・施封または裁断する紙葉類処理部と、機械の状況を表示し操作者の操作を受ける操作・表示部と、制御機と情報を交信する制御機交信部と、紙葉類処理機全体を制御する処理機制御部から構成され、
上記制御機が、第一、第二の紙葉類処理機との情報を交信する紙葉類情報交信部と、その情報を保管する情報保管部と、機械の状況を表示し操作者の操作を受ける操作・表示部と、制御機全体を管理し制御する制御機管理・処理部から構成されることを特徴とする請求項１に記載の紙葉類処理システム。
【発明の詳細な説明】
【技術分野】
【０００１】
この発明は、紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されている紙葉類処理システムと紙葉類処理システムの処理方法に関する。
【背景技術】
【０００２】
紙葉類を処理する単一または複数の第一の紙葉類処理機、および第一の紙葉類処理機において再処理必要として排除された紙葉類を処理する第二の紙葉類処理機、および全体を管理する制御機によって構成されている紙葉類処理システム（特許文献１）においては、第一の紙葉類処理機にて排除された紙葉類を第二の紙葉類処理機にて照合処理を完了しないと当該日の業務を終了できない、という運用条件がある。現在は、第二の紙葉類処理機で処理しなければならない紙葉類の数量を制御機などに表示することにより、操作者が第二の紙葉類処理機での処理時間を予測し、第一の紙葉類処理機の処理を終了させ、業務終了予定時刻に業務を終了できるように操作している（特許文献２）。
【０００３】
しかし、第二の紙葉類処理機での処理時間は、処理しなければならない紙葉類の数量だけに依存するわけではなく、紙葉類の質に起因して発生する紙葉類の詰まり（ジャム）などの機械停止とその回復操作の回数による影響が大きく、数量だけで処理時間を予測する現在の方法では精度が低い。また、操作者自身が第二の紙葉類処理機での処理時間を予測して、第一の紙葉類処理機の処理を終了させるため、操作者の判断に依存し、業務終了時刻と予定時刻との差を発生させている。
【特許文献１】特開平８−１９０６５３号公報
【特許文献２】、特開２０００−２７１８３８号公報
【発明の開示】
【発明が解決しようとする課題】
【０００４】
この発明は、第二の紙葉類処理機に要する時間を、処理する紙葉類の数量だけではなく第一の紙葉類処理機における処理状況を表す数値に基づいて予測することを可能とし、処理時間の予測精度を向上できる紙葉類処理システムを提供することを目的としている。。また、この発明は、業務終了予定時刻に業務を終了できるように前記の予測時間に基づき、第一の紙葉類処理機の取り出し部を停止、または投入部を閉鎖、あるいはガイダンスを各処理機並びに制御機に表示することにより、業務終了時刻を予定時刻に近づけることができる紙葉類処理システムを提供することを目的としている。
【課題を解決するための手段】
【０００５】
この発明の紙葉類処理システムは、紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されているものにおいて、第一の紙葉類処理機にて排除された紙葉類の数量および第一の紙葉類処理機における処理状況を表す数値に基づき、第二の紙葉類処理機が処理に要する時間を予測する予測手段と、この予測手段の予測に基づいて、予め登録された予定時刻に業務を終了するように第一の紙葉類処理機を制御する制御手段とを有する。
【０００６】
この発明の紙葉類処理システムは、紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されているものにおいて、第一の紙葉類処理機にて排除された紙葉類の数量および第一の紙葉類処理機における処理状況を表す数値に基づき、第二の紙葉類処理機が処理に要する時間を予測する予測手段と、少なくとも第一の紙葉類処理機、あるいは第二の紙葉類処理機、あるいは制御機のいずかに設けられ、上記予測手段の予測に基づいて、予め登録された予定時刻に業務を終了するガイダンスを表示する表示手段を有する。
【０００７】
この発明の紙葉類処理システムは、紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されているものにおいて、上記制御機が、第一の紙葉類処理機にて排除された紙葉類の数量および第一の紙葉類処理機における処理状況を表す数値等の情報を収集し、解析することにより、第二の紙葉類処理機が処理に要する時間を予測する予測手段と、この予測手段の予測に基づいて、予め登録された予定時刻に業務を終了するように第一の紙葉類処理機を制御する制御手段とを有する。
【０００８】
この発明の紙葉類処理システムは、紙葉類を処理する単一または複数の第一の紙葉類処理機、および第一の紙葉類処理機において再処理必要として排除された紙葉類を処理する単一または複数の第二の紙葉類処理機、および全体を管理する制御機によって構成されているものにおいて、上記制御機に設けられ、第一の紙葉類処理機にて排除された紙葉類の数量および第一の紙葉類処理機における処理状況を表す数値等の情報を収集し、解析することにより、第二の紙葉類処理機が処理に要する時間を予測する予測手段と、
少なくとも第一の紙葉類処理機、あるいは第二の紙葉類処理機、あるいは制御機のいずかに設けられ、上記予測手段の予測に基づいて、予め登録された予定時刻に業務を終了するガイダンスを表示する表示手段を有することを特徴とする紙葉類処理システムを有する。
【発明の効果】
【０００９】
以上詳述したように、この発明によれば、第二の紙葉類処理機に要する時間を、処理する紙葉類の数量だけではなく第一の紙葉類処理機における処理状況を表す数値に基づいて予測することを可能とし、処理時間の予測精度を向上できる。また、この発明によれば、業務終了予定時刻に業務を終了できるように前記の予測時間に基づき、第一の紙葉類処理機の取り出し部を停止、または投入部を閉鎖、あるいはガイダンスを各処理機並びに制御機に表示することにより、業務終了時刻を予定時刻に近づけることが可能となる。
【発明を実施するための最良の形態】
【００１０】
以下、図面を参照してこの発明の実施形態の紙葉類処理システムについて説明する。
【００１１】
本紙葉類処理システム１は、図１に示した概要図のように、紙葉類を処理する単一または複数の第一の紙葉類処理機１１、…、および第一の紙葉類処理機１１において再処理必要として排除された紙葉類を処理する第二の紙葉類処理機２１、…、および全体を管理する制御機３１によって構成され、第一の紙葉類処理機１１にて排除された紙葉類を第二の紙葉類処理機２１にて再処理を完了することにより、当該日の業務を終了する。
【００１２】
図２は本紙葉類処理システムを構成する制御機３１のブロック図であり、制御機３１は第一の紙葉類処理機１１との情報を交信する第一の紙葉類情報交信部３５と、第二の紙葉類処理機２１との情報を交信する第二の紙葉類情報交信部３６と、それらの情報を保管する情報保管部３３と、機械の状況を表示し操作者の操作を受ける操作・表示部３４と、制御機全体を管理し制御する制御機管理・処理部３２から構成される。
【００１３】
第一および第二の紙葉類処理機１１、２１は、図３に示すように、同様のブロック図で表現でき、紙葉類を取り出す紙葉類取出部４４と、紙葉類を搬送・区分する紙葉類搬送・区分部４５と、紙葉類の表面または裏面の情報を読み取り真偽・正損等を判定する紙葉類情報読取・判定部４６と、前記判定結果に基づき紙葉類を集積・施封または裁断する紙葉類処理部４７と、機械の状況を表示し操作者の操作を受ける操作・表示部４３と、制御機３１と情報を交信する制御機交信部４１と、紙葉類処理機全体を制御する処理機制御部４２から構成される。
【００１４】
第一および第二の紙葉類処理機１１、２１はともに、紙葉類情報読取・判定部４６において再処理必要と判定された紙葉類を排除として集積するが、第一の紙葉類処理機１１で排除とされた紙葉類は第二の紙葉類処理機２１で再処理を行い、第二の紙葉類処理機２１で排除とされた紙葉類は操作者による目視確認によって再処理を行うことによって、システム全体の処理が完了する。
【００１５】
このようなシステムでは、予定した時刻に所定の業務を終了させるように運用したい場合には、第二の紙葉類処理機２１以降の処理に要する時間を予測し、第一の紙葉類処理機１１の稼動を前もって停止させる必要がある。現在は操作者が第二の紙葉類処理機２１で処理すべき残数から処理時間を予測し、第一の紙葉類処理機１１を停止させているが、実際には質の悪い紙葉類が取り出し、搬送、区分、集積などの箇所で詰まる現象（以降ジャムと称する）による機械停止とその後の回復操作によって処理時間が大きく変動し、また、操作者の注意不足から第一の紙葉類処理機１１を停止させるべき時刻が遅れてしまう問題も有る。
【００１６】
本システムは、第一の紙葉類処理機１１における処理状況を表す数値を収集・保管し、制御機で解析することにより、第二の紙葉類処理機２１における処理時間の予測精度を向上させるとともに、予め設定された業務終了時刻に業務を終了できるように第一の紙葉類処理機１１の動作を制御させる、または操作のガイダンスを表示させる、ということを実現するものである。本システムの特徴となる処理部分を図４のフローチャートと図５の表示例に示し、最も単純な実施例を説明する。
【００１７】
すなわち、第一の紙葉類処理機１１は、システムとして処理単位を管理するための管理番号、処理モード、処理時刻、処理数、排除数、ジャム発生箇所と回数および回復操作時間などの情報を記録し、処理単位の切換時など自身の処理に影響を与えないタイミングで制御機３１へ情報を送信する。制御機３１では第一の紙葉類処理機１１から受信した情報をその号機別に収集・保管するとともに、第二の紙葉類処理機２１におけるジャム発生箇所と回数、さらにジャム停止の回復操作を含めた処理時間を処理単位毎に予測し、全ての号機から排除された処理単位（残件）の予測時間合計を求め、第二の紙葉類処理機２１の台数で除することにより、処理残件の予測時間を求める。
【００１８】
さらに、制御機３１は現時刻に予測時間を加えて業務終了予測時刻を求め、予め設定された業務終了予定時刻と比較することによって、新たな処理を追加すると予定時刻を超過する可能性が高いと判断し、全ての第一の紙葉類処理機１１を停止させ、業務終了予定時刻を大きく超過せずに業務を終了させることを可能とする。
【００１９】
図５は、第一の紙葉類処理機１１の台数を３、第二の紙葉類処理機２１の台数を１として構成された紙葉類処理システムの処理予測時間表示例を示したものである。
【００２０】
第二の紙葉類処理機２１における処理予測時間の求め方の一例を示す。まず、制御機３１は第一の紙葉類処理機１１における処理数、ジャム発生箇所と回数からジャム箇所別の発生率を求め、第二の紙葉類処理機２１におけるジャム発生率に補正する。もし、第一と第二の紙葉類処理機１１、２１のジャム関連箇所に相異が無ければ何も補正しない場合もあり得るが、搬送速度、取り出しや集積の方式が異なる場合には実験などによって得られた係数を用いて補正する。制御機３１はジャム発生率の予測値に排除数量を乗じてジャム発生回数を予測し、情報保管部３３に記憶しておいたジャム発生箇所別の回復操作時間を参照し、全てのジャム発生予測箇所について回復時間を合計することにより第二の紙葉類処理機２１における処理時間を予測する。
【００２１】
第二の紙葉類処理機２１における排除率についても、実験などによって得られた係数を用いて第一の紙葉類処理機１１の排除率から補正して求め、情報保管部３３に記憶しておいた各操作者の目視確認速度を参照し、目視確認処理時間を予測する。
【００２２】
第二の紙葉類処理機２１において、実際の処理時間、排除率、ジャム発生箇所と回復操作時間、操作者名などを各処理単位毎に記録し、各処理単位の完了時などに制御機３１に送信して、制御機３１で情報保管部３３に収集・保管することにより、排除率、各ジャム発生箇所の発生率、操作者別の回復操作時間などの予測値と実績値の差異からジャム発生率や排除率を補正する係数を修正することも可能となる。
【００２３】
すなわち、図4の動作を詳細に説明する。
まず、電源投入等により、制御機３１の処理がスタートする。すると、制御機３１は制御機３１自身および各紙葉類処理機１１、…、１２、…が正常動作可能であることを確認し、初期化処理を行い、処理残件をゼロにする（ＳＴ０）。つぎに、制御機３１は各紙葉類処理機１１、…、１２、…からの情報の受信を待つ（ＳＴ１）。この際、制御機３１は第一の紙葉類処理機１１からの情報の受信時、ST2へ進み、第二の紙葉類処理機２１からの情報の受信時、ST4へ進む。
【００２４】
第一の紙葉類処理機１１、…の処理単位終了時に、その処理単位の管理番号、処理モード、処理時刻、処理数、排除数、ジャム発生箇所別の回数と回復操作時間、操作者名等の情報を受信した際、制御機３１は処理残件を１増やす。（ＳＴ２）
制御機３１はＳT2で受信した情報と情報保管部３３に保管された排除率やジャム箇所別の発生率の補正係数、回復操作時間等の情報から第二の紙葉類処理機１２、…の処理単位別の排除数、ジャム発生箇所別の回数と回復操作時間、操作者による目視確認時間を予測し、情報保管部３３へ保管し、ST6(予測表示更新処理)へ移る（ＳＴ３）。
【００２５】
第二の紙葉類処理機１２、…の処理単位終了時に、その処理単位の管理番号、処理モード、処理時刻、処理数、排除数、ジャム発生箇所別の回数と回復操作時間、目視確認時間、操作者名等の情報を受信し、情報保管部３３へ保管し、処理残件を１減らす（ＳＴ４）。
【００２６】
制御機３１はST3で予測した数値とST４で受信した実績値の差異から排除率やジャム箇所別の発生率の補正係数、操作者別回復操作時間等の情報を修正して、情報保管部３３の記憶内容を変更する（ＳＴ５）。
【００２７】
次に、制御機３１は、第二の紙葉類処理機１２、…として各処理残件の処理予測時間合計を、第二の紙葉類処理機１２、…の台数で割り、処理予測時間を求め、現時刻に加えて業務終了予測時刻を算出し、図５に示す表示例の内容を更新する（ＳＴ６）。…（予測表示更新処理）
また、制御機３１は新たな処理単位を追加した場合の処理予測最低時間を情報保管部３３から参照し、業務終了の予定時間と予測時刻の差が処理予測最低時間よりも小さい場合は、全ての第一の紙葉類処理機１１、…に対して新規処理を禁止する（ＳＴ６）。
【００２８】
制御機３１は処理残件がゼロでなければ、ST1へ戻り、各紙葉類処理機１１、…、１２、…からの情報を待つ（ＳＴ７）。
【００２９】
上記したように、紙葉類を処理する単一または複数の第一の紙葉類処理機１１、および第一の紙葉類処理機１１により再処理必要として排除された紙葉類を処理する第二の紙葉類処理機２１、および全体を管理する制御機３１によって構成されている紙葉類処理システムにおいて、第一の紙葉類処理機１１にて排除された紙葉類を第二の紙葉類処理機２１にて再処理することにより当該日の業務を終了する、という運用条件がある。第二の紙葉類処理機２１に要する時間を処理する紙葉類の数量だけではなく第一の紙葉類処理機１１における処理状況を表す数値に基づいて予測することにより、業務終了予定時刻に業務を終了できるように第一の紙葉類処理機１１の動作を終了させる、またはガイダンスを各処理機１１、２１の操作・表示部４３並びに制御機３１の操作・表示部３４に表示する。
【図面の簡単な説明】
【００３０】
【図１】この発明の実施形態を説明するための紙葉類処理システムの概略構成を示すブロック図。
【図２】制御機の内部構成を説明するためのブロック図。
【図３】第一および第二の紙葉類処理機のブロック構成を示す図。
【図４】紙葉類処理システムの処理を説明するためのフローチャート。
【図５】紙葉類処理システムの処理予測時間表示例を示す図。
【符号の説明】
【００３１】
１１…第一の紙葉類処理機、  ２１…第二の紙葉類処理機、  ３１…制御機、  ３４、４３…操作・表示部、  ３３…情報保管部。
【図１】
2005267458.tif 000003
【図２】
2005267458.tif 000004
【図３】
2005267458.tif 000005
【図４】
2005267458.tif 000006
【図５】
2005267458.tif 000007